(57)【要約】      （修正有）【課題】紙の凹所に植物の種子を収蔵した紙を土に挿す時や送付する際に種子をカバーしている水溶性シートが剥離しにくい状態にし、絵やメッセージ、会社名、PRが書かれた紙を土に挿した時に土からが水を吸い上げることにより紙が茶色く変色しないようにし何も無かった土の上に新たな価値観を生み出すことができる種子収蔵紙を提供する。【解決手段】種子１を保護している水溶性シート４の為のくぼみ（第１凹部）３を台紙（シート本体）９に付けることで紙表面を平滑にし剥離しにくい状態にする。そして水に強い紙、例えば非木材紙を使うことにより土に挿されたカードの劣化を防ぎ環境にも良いことが証明される。そして紙のまま若しくは前記種子を含む紙の一部を切り取った部分を直接土に挿し込むことで土の上に栽培の新たな価値観を生み出す。【選択図】図１
2014132895.tif 000002
【特許請求の範囲】
【請求項１】
種子を収蔵可能な台紙（シート本体）と、水溶性シートとを備える種子収蔵紙であって、前記台紙（シート本体）は、水溶性シートの為のくぼみ（第１凹部）と、前記水溶性シートの為のくぼみ（第１凹部）内に形成され、種子を収蔵する為のくぼみ（第２凹部）とを備えており、前記水溶性シートは、前記台紙（シート本体）と面一となるように前記水溶性シートの為のくぼみ（第１凹部）に配置され、種子を収蔵する為のくぼみ（第２凹部）を被覆する種子収蔵紙。
【請求項２】
前記台紙（シート本体）は、カードであることを特徴とする請求項１に記載の種子収蔵紙。
【請求項３】
前記台紙（シート本体）を直接土に挿し込み、挿された前記台紙本体に描かれた絵やメッセージと植物とが共存することを特徴とする請求項１に記載の種子収蔵紙。
【請求項４】
種子を付着させた水溶性シートの種子を付着させた面側を台紙に貼付けた種子収蔵紙。
【発明の詳細な説明】
【技術分野】
【０００１】
本発明は、挨拶や用件を相手方に伝えるため、言葉や文章、絵を書いて送り、送られた人が楽しんで栽培をしてもらえる種子収蔵紙に関するものである。
【背景技術】
【０００２】
従来は紙の凹所に植物の種子を収蔵し上面に塗膜層あるいはカバーフィルムによって貼着したものを相手に送り、植物を育てるというものであった。また紙に種子を内蔵し、その上に水溶性シートを貼るということから、発芽の際に一定の場所で芽が出ないものであった。
【０００３】
【特許文献１】実開平４−５４８７７号
【特許文献２】実開平３−８４１７６号
【特許文献３】実開平１−１６５２８２号
【発明の概要】
【発明が解決しようとする課題】
【０００４】
従来は紙の凹所に植物の種子を収蔵し上面に塗膜層、カバーフィルム、水溶性シートを貼っているだけのものであり、土に挿す時や送付する際に剥離する心配性があった。また発芽の際に種子がまばらにちらばりハガキと離れた場所で発芽するという心配性があった。
【０００５】
また、種子付きハガキを送られた人には種がハガキと一緒になって送られてきたという１つの驚きしか無かった。ハガキに種が付いているというだけの面白み止まりであり、そこから先の面白みに欠けていた。
【０００６】
従来のDMハガキなどは送られてきたと同時に引出しにしまい込まれるか、しばらく放置された後、捨てられるといった扱いが多く、紙代・郵送料のコストがかかる割にはもらった人にとって新鮮味が無く、DMによる印象付けまたは効果が薄かった。
【課題を解決するための手段】
【０００７】
かくして、本発明は上記従来の課題に鑑みてなされたものであって、従来の種子収蔵紙とは別に種子を収蔵する機能性、話題性、遊び、栽培方法を付加することにより、種子収蔵紙の機能を向上させると同時に、相手に強烈な印象を残し栽培の新たな価値観を楽しんでもらうことができる種子収蔵紙を提供することを目的とするものである。
【０００８】
請求項１は種子を収蔵可能な台紙本体と、水溶性シートとを備える種子収蔵紙であって、前記台紙本体は、第一凹部と、前記第１凹部内に形成され、種子が収蔵される第２凹部を被覆する種子収蔵紙である。これは、花、草、野菜、果物、ハーブなどの植物の種子を、凹所に収蔵し水溶性シートでカバーをする。そして凹所に植物の種子を収蔵し、なおかつ、上面をカバーする水溶性シートと同じ大きさの浅い凹みを作ることで紙表面を平滑にし剥離しにくくする。その為、紙を土に挿し込む際に種子を保護している水溶性シートと紙の接着が剥離しにくく例えば郵送などの時にハガキとハガキがこすれ合っても水溶性シートが剥離しにくいものとなる。
【０００９】
請求項２は前記台紙本体は、カードであることを特徴とする請求項１に記載の種子収蔵紙である。請求項３は前記台紙本体を直接土に挿し込み、挿された前記台紙本体に描かれた絵やメッセージと植物とが共存することを特徴とする請求項１に記載の種子収蔵紙である。これは、カードのまま若しくは前記種子を含むカードの一部を切り取った部分を土に挿し、カードに描かれた絵やメッセージを見て植物との絡み合いを楽しむ事を提供せんとするものである。またDMハガキの場合、カードのまま若しくは前記種子を含むカードの一部を切り取った部分に会社名や会社の方針、メッセージ、PRなどを載せられる為、もらった人が栽培をする時に毎日の水やりの度にそのPRなどを目にすることから覚えてもらえるきっかけになり従来の種子収蔵ハガキと比べインパクトと宣伝効果を提供せんとするものである。
【発明の効果】
【００１０】
上述の如く、本発明にかかる種子収蔵紙は水溶性シートの為のくぼみ（第１凹部）をつけることにより紙を土に挿し込む際に種子を保護している水溶性シートと紙の接着が剥離しにくく、郵送などの時にハガキとハガキがこすれ合っても水溶性シートが剥離しにくいものとなる。また花、草、野菜、果物、ハーブなどの植物の種子を収蔵したカードのまま若しくは前記種子を含むカードの一部を切り取ったタグを植え付け線まで埋めることにより、ハガキに描かれた動物の絵やキャラクター、メッセージ、写真、などと植物を絡ませ自分の好きな様に鉢の上を自分流にアレンジしてオリジナルの鉢を作りあげることができる。カードを土に挿すだけで気軽に植物を育てることができる為、台所や窓辺に鉢を置き、可愛いタグが刺さっているだけでインテリアとしても優しく存在感を発揮する。
【００１１】
そして今までのハガキはもらった後、引出しにしまうか捨てるだとか、気付くと何処かへいった等で相手からもらった記憶が忘れがちだが、ハガキを土に挿すことにより相手がくれた絵やメッセージを毎日水やりの度に見、植物を育てる事で相手への思いやハガキをもらった時の記憶が残りやすいものになり人と人とを深く繋ぐ事ができる。
【００１２】
DMハガキの場合、種子を収蔵したハガキに会社名や会社の方針、メッセージ、PRなどを載せられる為、もらった人が栽培をする時に毎日の水やりの度にそのPRなどを目にすることから会社名やPRなどを覚えてもらえるきっかけになりインパクトと宣伝効果を提供できるものとなる。
【００１３】
またカードに使われる紙を非木材紙などのケナフ紙を使う場合、ハガキ自体に水をかけたとしても丈夫な為、しかも紙が水を吸い取った時に茶色く変色しにくい為、土に挿す事に適しており自然保護にも貢献し、生分解され土に還る為、環境にも優しく植物を育てられるというメリットもある。DMなどで送る際はエコにもなるので会社のイメージアップが図れる。
【００１４】
現在ではデジタル化に進む中、相手と交流を図る時にこの様な昔から伝わるお手紙を書くという方法は字を書くことが少なくなってきた現代、そして字を書いて気持ちを伝えることの喜びを子供達にも持ってもらう為にも、子供達が興味を持ってもらいやすい、種子収蔵カードを提供することができる。
【００１５】
種子を保護する水溶性シートに種子を付着させることにより、種子のばらつきを抑え、種子がまとまっている為、綺麗に発芽できることを提供することができる。
【図面の簡単な説明】
【００１６】
【図１】本発明に係る種子収蔵紙によるカードの実施例を示す正面図。
【図２】本発明に係る種子収蔵紙によるカードを土に挿した状態の説明図。
【図３】本発明に係る種子収蔵紙の種子収蔵を示す部分を部分断面した正面        図。
【図４】本発明に係る種子収蔵紙の種子収蔵を示す部分を切断した拡大断面図。
【図５】本発明に係る種子収蔵紙によるカードの他の実施例を示す正面図。
【図６】本発明に係る種子収蔵紙によるカードの他の実施例を示す裏面図。
【図７】本発明に係る種子収蔵紙によるカード図５、６を土に挿した状態の説明図。
【図８】本発明に係る種子収蔵紙によるカードの他の実施例を示す正面図。
【図９】本発明に係る種子収蔵紙の種子収蔵を示す部分を切断した他の実施例を    示す拡大断面図。
【図１０】本発明に係る種子収蔵紙の種子収蔵を示す部分を切断した他の実施例を示す拡大断面図。
【図１１】本発明に係る種子収蔵紙の種子収蔵を示す部分が種子付き水溶性シートを示す拡大断面図。
【図１２】本発明に係る種子収蔵紙による種子付き水溶性シート図１１を土に挿した状態の説明図。
【発明を実施するための形態】
【００１７】
以下、本発明に係る種子収蔵紙の実施例を図面に基づき説明する。図１はハガキをもらった人は切り取り線７を切り取り、上半分には相手の連絡先やメッセージが書かれているので保管する。そして図２が示すように下半分の３つのタグ８を植え付け線５の所まで土に挿す。
【００１８】
水をあげることによって種子１を保護している水溶性シート４が水に溶け始める。数日後、自然と発芽が始まり花や野菜、ハーブといった植物がハガキを切り取ったタグ8を植え付け線の所まで土に挿すだけで簡単に育てることができる。左右にあるタグ８は土に挿す為だけのアクセサリーとなる。
【００１９】
図２が示す切り取った絵６やメッセージ６、DMなら会社名６、PR６が書かれているタグ８を土の上に挿して土の上に遊び心を吹き込み植物とタグ８の絡み合いを楽しむ。この様に毎日の水やりの度に絵を見ることにより癒しになり、また会社名や企業などのPRなども毎日見ることになる為、カードのまま若しくは前記種子を含むカードの一部を切り取ったタグを土に挿すことにより宣伝効果へとも繋がる。
【００２０】
このように従来ではカード、DMをもらった後は引出しにしまうか捨てるだとか、気付くと何処かへいった等で相手からもらった記憶が忘れがちだが、カードのまま若しくは前記種子を含むカードの一部を切り取ったタグ８を土に挿すことによって相手がくれた絵やメッセージを毎日水やりの度に見、植物を育てる事で相手への思い、カードをもらった時の記憶が残りやすいものになる。
【００２１】
図３、図４が示す台紙（シート本体）９に水溶性シートの為のくぼみ（第１凹部）３を軽く付けその中に更に種子を収蔵するくぼみ（第２凹部）２を付ける。一枚の紙で２段階に分けてくぼみを入れる。
そして種子を収蔵するくぼみ（第２凹部）２の中に種子を入れ、その上面に水溶性シート４を水溶性シートの為のくぼみ（第１凹部）３に収まる様に接着剤で貼着させる。
【００２２】
図４の様に台紙（シート本体）９と水溶性シート４の表面を平滑にする事によりカードを土に挿し込む際に種子１を保護している水溶性シート４と台紙（シート本体）９の接着が剥離しにくくまた郵送などの時にカードとカードがこすれ合っても水溶性シート４が剥離しにくいものとなり安全に使ってもらえる。また水溶性シート４には会社のロゴや会社名、絵やメッセージを印刷することにより、土に挿し、水やりをしていく内に水溶性紙に書かれたものが土に溶け、そこから芽が出て空高く育つ。「会社やメッセージが育て」という願いを込められることができ新たな価値観を作り上げる。
【００２３】
図５はハガキに更なる仕掛けが仕込まれており、ハガキ自体を土に挿して植物観賞を楽しむものになっている。このハガキは額縁の絵になっているのだが、送られてきた人は真ん中のメッセージ欄１０を切り取り線７にそってくり抜く。メッセージ欄１０は保管し、真ん中が空いた状態のハガキは土に挿す。図６のハガキの裏側に種子が収蔵されている為、表向きに土に挿した時に額縁の裏から芽が出てき図７のように成長するにつれて植物が額縁を飛び出すかの様な仕掛けが仕込まれている。
【００２４】
このように額縁以外でも鉢の絵であったりだとか砂漠の様な写真であったりだとか、その絵や写真に芽が出ることにより、カード自体に意味が吹き込まれ栽培の新たな価値観を作り上げる事ができる。
【００２５】
図８は名刺に種子１を付けた参考例になっている。左側には会社名、氏名、住所、電話番号などが記載される。そして切り取り線７で切り取れるようになっており
右側のタグ８は図２と同様、土に挿し栽培をしてもらう。
【００２６】
図１１は水溶性シート４に種子１を付着させて種子付き水溶性シート１１となっており、図１２のように種子付き水溶性シート１１を貼ったタグ８を土に挿すことで芽が一定の場所で発芽し見栄えがよいものとなる。そしてよりいっそうタグ８に描かれた絵６と植物の一体感を楽しむことができる。この時の台紙の形状は図１１中にある真っ平らの台紙イ）２段階の凹みロ）ハ）二）に基づくものとする。
【００２７】
このように名刺交換の時に相手が興味を持ってくれ会話がスムーズに進み打ち解けが早くなり、また名刺整理の時に他の人の名刺と比べてもお得観があり差別化が計れ、嬉しい名刺として手に取ってもらえる。そして土に挿す事により、毎日の水やりの度にタグ８に書かれた会社名６やPR６などを見るので、覚えてもらえるきっかけにもなる。
【００２８】
カードに使われる紙を水に強い紙を選ぶのが妥当だが非木材紙のケナフ紙を使うことにより自然保護に貢献しており、生分解され土に還る為、環境にも優しくエコとして植物を育てられるというメリットもある。またケナフ紙は水にも強く、普通の紙であれば土に挿した時に土から水を吸い上げ紙が茶色く変色し、タグ８自体が弱くなり曲がってしまうのだが、ケナフ紙は植物が完全に育つまでは土から水を吸い上げることはなくタグ８自体も弱くなることがないので、環境にも優しく、そしてタグ８を土に挿して安心して絵６やメッセージ６、会社名６やPR６を見て植物との絡み合いを問題なく楽しんでもらうこともできる。
【００２９】
実施例はカードについて説明したが本発明はカードに限定されるものではなく、
ペーパーバック、カレンダー、パンフレット、包装紙、招待状等に種子を収蔵することもできる。
【００３０】
本実施形態の構成に限定されず、例えば図９や図１０に示すような構造として種子収蔵紙を構成することもできる。
図9に示す種子収蔵紙は、台紙（シート本体）9の表面に水溶性シートの為のくぼみ（第１凹部）３と種子を収蔵するくぼみ（第２凹部）２を有し、裏面は平滑な構造である。
図10に示す種子収蔵紙は、台紙（シート本体）9の表面に水溶性シートの為のくぼみ（第１凹部）３と種子を収蔵するくぼみ（第２凹部）２を有し、裏面からは      種子を収蔵するくぼみ（第２凹部）２部分による凸部がある。
【００３１】
尚、本発明の水溶性シートは水溶性紙または水溶性プラスチックフィルムまたは水溶性シールを用いる。
【符号の説明】
【００３２】
１・・・・種子
２・・・・種子を収蔵するくぼみ（第２凹部）
３・・・・水溶性シートの為のくぼみ（第１凹部）
４・・・・水溶性シート
５・・・・植え付け線
６・・・・絵、メッセージ、会社名、PR
７・・・・切り取り線
８・・・・タグ
９・・・・台紙（シート本体）
１０・・・メッセージ欄
１１・・・種子付き水溶性シート
【図３】
2014132895.tif 000003
【図４】
2014132895.tif 000004
【図５】
2014132895.tif 000005
【図９】
2014132895.tif 000006
【図１０】
2014132895.tif 000007
【図１１】
2014132895.tif 000008
【図１】
2014132895.tif 000009
【図２】
2014132895.tif 000010
【図６】
2014132895.tif 000011
【図７】
2014132895.tif 000012
【図８】
2014132895.tif 000013
【図１２】
2014132895.tif 000014